(57)【特許請求の範囲】
【請求項１】
胴回り開口部と一対の足回り開口部とを有するパンツ型着用物品であって、
前記パンツ型着用物品には、その腹側を構成する部材と背側を構成する部材とが合掌状態に重ね合わされた左右一対のサイドシーム部があり、かつ、前記腹側部材及び／又は背側部材の肌面側には着用者の胴回りまたは腹回りを覆う内側シート部材が接合されており、
前記内側シート部材の着用者の身丈方向の下端部領域には前記腹側部材及び／又は背側部材と非接着とされた胴回り帯状非接着帯があり、該帯状非接着帯を有する内側シート部材が前記サイドシーム部において接合されており、
前記帯状非接着帯は、そのサイドシーム部の近傍の左右の少なくとも一方において身丈方向の破断を誘導する破断誘導構造を有するパンツ型着用物品。
【請求項２】
前記破断誘導構造とサイドシーム部の内側縁との離間距離が２０ｍｍ以下である請求項１記載のパンツ型着用物品。
【請求項３】
前記破断誘導構造は、腹側部及び背側部の少なくとも一方に形成されている請求項１又は２に記載のパンツ型着用物品。
【請求項４】
前記破断誘導構造が、ミシン目又はシート部材の脆弱化部のいずれかである請求項１〜３のいずれか１項に記載のパンツ型着用物品。
【請求項５】
前記パンツ型着用物品が腹側部分と背側部分と該両部分の間にある股下部分とを有する外装体を含んで構成された請求項１〜４のいずれか１項に記載のパンツ型着用物品。
【発明の詳細な説明】
【技術分野】
【０００１】
本発明はパンツ型の着用物品に関する。
【背景技術】
【０００２】
ブリーフパンツのようにウエスト開口部と一対のレッグ開口部とが予め画成されている、展開型でない、パンツ型おむつないしおむつカバーなどがある。このようなパンツ型おむつ等は、通常、着用者の胴回りの左右において身丈方向に延びる線状サイドシーム部を有し、このサイドシーム部で外装体の腹側と背側とが接合されている。そして使用後には、ブリーフパンツを脱ぐようにこれを足先へ下ろすのではなく、上述した着用者の左右両側にあるサイドシーム部を破り切り離して脱がせる。おむつはそのまま廃棄することができる。このようにすることで、例えば乳幼児や老人等の要介護者が排便をしたときにも、その汚物を腿から足先に引きずって付着させるようなことなく、おむつを破断開放し、そのまま立位や仰向けに寝た状態で股間から引き離し脱がすことができる。
【０００３】
上記パンツ型おむつのサイドシーム部の良好な引裂きのためにおむつの形態を工夫したものがある。例えば、サイドシーム部よりも内方に離間した位置に該サイドシーム部と平行な第２の接合部位を形成してなるものがある（特許文献１参照）。この第２の接合部位があることで、上下方向へ引裂こうとする途中で、おむつのシート材の繊維配向に沿って前記引裂きが幅方向に逸れてしまうのを防止することができるとされる。
またパンツ型おむつにおいて、外装シートの肌面側で吸収体の端部を覆う胴回り方向に帯材を配したものがある（特許文献２参照）。この帯材は、その身丈方向の長さをサイドシーム部よりも短くしており、サイドシーム部の上端よりも下方の位置で部分的に外装シートとともに挟持接合されている。このおむつにおいては、前記帯材のサイドシーム部近傍に身丈方向に延びる切込みが設けられている。したがって引裂きの途中でサイドシームの帯体に差し掛かっても、そのまま、帯体の切込みの部分で外装シートとの接合部分を含めその上端縁から下端縁まで上下方向全体が引裂くものである。
【先行技術文献】
【特許文献】
【０００４】
【特許文献１】特開２０００−１４６９７号公報
【特許文献２】特開２０１０−１３６７８７号公報
【発明の概要】
【発明が解決しようとする課題】
【０００５】
ところで、本発明者らの確認によれば、外装シートが肌面側に折り返されてなる内側シート部材を有するおむつにおいては、サイドシーム部を破断して引き剥がそうとすると、前記内側シート部材の下端に位置する帯状非接着帯（外装シートと非接合のドライエッジ部分）でうまく破断されないことがある。特に、着用者が高月齢の幼児などの場合にはおむつ交換時にもじっとしないことが多い。そのため、保護者等はこの動きを制しつつ多少乱暴に素早くサイドシーム部を破断しようとしてうまく破断されないことがある。具体的には、図６に示すとおり、おむつの胴回り開口部からサイドシーム部３の近傍の腹側部材３ａを前側に背側部材３ｂを後側に引っ張って該サイドシーム部３を上下方向に引裂いていくと、内側シート部材の帯状非接着帯２１ａ’及び２１ｂ’がサイドシーム部でうまく分離せずに胴回り方向に接着境界ｗ１に沿って接着領域２２ａ’及び２２ｂ’と分離（ｗ２）し紐状に横裂けしてしまう。
【０００６】
本発明は上記の点に鑑み、サイドシーム部の破断の際に帯状非接着帯の横裂きを回避して良好なおむつの取り換えを可能とするパンツ型着用物品の提供を目的とする。
【課題を解決するための手段】
【０００７】
本発明は、胴回り開口部と一対の足回り開口部とを有するパンツ型着用物品であって、前記パンツ型着用物品には、その腹側を構成する部材と背側を構成する部材とが合掌状態に重ね合わされた左右一対のサイドシーム部があり、かつ、前記腹側部材及び／又は背側部材の肌面側には着用者の胴回りまたは腹回りを覆う内側シート部材が接合されており、前記内側シート部材の着用者の身丈方向の下端部領域に前記腹側部材及び／又は背側部材と非接着とされた胴回り帯状非接着帯があり、該帯状非接着帯を有する内側シート部材が前記サイドシーム部において接合されており、前記帯状非接着帯は、そのサイドシーム部の近傍の左右の少なくとも一方において身丈方向の破断を誘導する破断誘導構造を有するパンツ型着用物品により上記の課題を解決するものである。
【発明の効果】
【０００８】
本発明のパンツ型着用物品は、サイドシーム部の破断の際に非接着帯の横裂きを回避して良好なおむつの取り換えを可能とするという優れた作用効果を奏する。
【図面の簡単な説明】
【０００９】
【図１】本発明のパンツ型着用物品における一実施形態としてのパンツ型の使い捨ておむつを概ね着用状態の形状として腹側からみて模式的に示した斜視図である。
【図２】図１に示した領域ＩＩの周辺をおむつ内側からみて模試的に示した斜視図である。
【図３】図２に示したＩＩＩ−ＩＩＩ線断面の拡大断面図である。
【図４】（ａ）は図２に示したサイドシーム部のＩＶ切断面の断面を拡大して模式的に示した拡大断面図であり、（ｂ）及び（ｃ）は該サイドシーム部断面においてその引裂きの様子を模式的に示した拡大断面図である。
【図５】実施形態としての使い捨ておむつのサイドシーム部（図２に示した部分に対応する部分）を引き裂くときの状態を模式的に示した斜視図である。
【図６】従来のおむつのサイドシーム部を引裂くときの状態をおむつの内側からみて模式的に示した斜視図である。
【発明を実施するための形態】
【００１０】
図１は、本発明のパンツ型着用物品における一実施形態としてのパンツ型の使い捨ておむつ１０を概ね着用状態の形状として腹側からみて模式的に示した斜視図である。図２は、図１に示した領域ＩＩの周辺をおむつ内側からみて模試的に示した斜視図である。
本実施形態のおむつ１０は、ウエスト開口部１１と一対のレッグ開口部１２とを有し、おむつの左右両側にウエスト開口部１１からレッグ開口部１２にかけて着用者の身丈方向を長手方向として延びるサイドシーム部３を有する。なお、「シーム」とは継ぎ目を意味し、連続した接合部による形態や、複数の接合部と非接合部とが互いに間欠的に配置された形態を含む。そして、このサイドシーム部３においては、おむつの外形をなす外装シート１の腹側部分１ａと背側部分１ｂとの左右両側端部がそれぞれ合掌状態に重ね合わされて接合されている（図２参照）。ここで、合掌状に重ね合わせるとは、一対のシート材において同一の機能を有する面、つまり本実施形態の外装シート１においては肌当接面どうしを対面させて当接することをいい、このとき両シート材の間に他の機能性のシート材や部材を介在させてもよい。本実施形態において外装シート１は、腹側部分１ａと背側部分１ｂとが股下部分１ｃ（図１のおむつにおいて股下部Ｃにあたる部材部分）を介して連続した一体のシート材からなるものであるが、腹側部分１ａ、背側部分１ｂ、股間部分１ｃが異なるシート材からなり所定の位置で接合されたり、あるいは腹側部分１ａ及び背側部分１ｂに分離したシート材のみからなるものであったり、別の機能性の部材等と組み合わせて構成されたものであったりしてもよい。
【００１１】
本発明においては、特に断らない限り、着用者の立位における身丈に沿う方向をパンツ型着用物品の身丈方向とし、着用者の胴回りに沿う方向をパンツ型着用物品の胴回り方向と定義して説明する。また、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側又は表面側といい、非肌面に近い方ないしその延長方向を非肌面側、非肌当接面側又は裏面側という。着用物品の装着時に人体の前側に位置する方向を前方といいその端部を前端部とし、後側に位置する方向を後方といいその端部を後端部として説明する。
【００１２】
図示したものにおいては外装シート１を要部の視認性を考慮し１枚のシート材として示したが、本実施形態において外装シート１は、着用者肌面側（以下、本明細書では単に「肌面側」または「肌側」とも言う）の液不透過性の１層以上の内層シートと着用者非肌面側（「単に「非肌面側」又は「非肌側」とも言う」）の外層不織布とからなる。そして、上記内層シートと外層不織布との間には、紐状弾性部材（図示せず）等の所定の部材が介在され配設されている。具体的には、ウエスト開口部１１の近傍の縁部及び胴回り領域Ｄの中央に胴回りの方向に延びるウエスト弾性部材及び胴回り弾性部材がそれぞれ配設されている（図示せず）。これらの胴回りに周状配置された弾性部材により、着用者の胴回りを適度に締め付け良好なフィット性を示す。また、レッグ開口部１２の縁部の近傍にも紐状のレッグ弾性部材が同様に介在配設され（図示せず）、着用者の足の付け根回りを適度に締め付けて良好な装着性とこの部分からの液等の漏れ防止性とを発揮する。
【００１３】
上記の外装シート１の肌面側には、液透過性の繊維シート（液透過性の表面シートないし紙製の台紙）（図示せず）に積繊されたパルプ繊維や吸収性ポリマー等で構成された吸収コア（図示せず）がつつまれた吸収性本体４が配設されている。この吸収性本体４を外装シート１に取り付ける方法は特に限定されないが、例えば面状、線状、スパイラル状にホットメルト接着剤を塗布して接合することができる。本実施形態の使い捨ておむつ１０において、吸収性本体４は、中央部分が括れた砂時計状であり、サイドシーム部３で分解し展開された外装シート１も吸収性本体４の外形に合わせてそれより大きな砂時計形状とされている。また、外装シート１は吸収性本体４の長手方向の前後両側縁の外方（着用者の頭部方向）および、吸収体４の幅方向の左右両側縁の外方（着用者の左右の側部方向）に延在する側縁部（フラップ部）を有している。この左右ないし前後両側縁部の左右端部が上述のようにサイドシーム部３をなして接合されている。このような構成は、通常のパンツ型の使い捨ておむつと同じである。
【００１４】
本実施形態のパンツ型使い捨ておむつ１０おいて、おむつの胴回り部Ｄであり、かつ、外装シート１の腹側部分１ａ及び背側部分１ｂの肌面側に、一対の内側シート部材２，２（腹側に配設された内側シート部材２ａ、背側に配設された内側シート部材２ｂ）が配設されている（図１，２参照）。本実施形態において、内側シート部材２ａ，２ｂは、それぞれ外装シート１の腹側部分１ａ及び背側部分１ｂの延出部分が各ウエスト開口端１ｔで肌面側に折り返されて接合された見返し部分であり、その身丈方向長さは吸収性本体４の長手方向端部にまで至る。他方、内側シート部材２ａ，２ｂの胴回り方向については、その長さが外装シート１の腹側部分１ａ及び背側部分１ｂのものと一致し、サイドシーム部３，３の端部３ｒ，３ｒにまで延びている（図２参照）。このように内側シート部材２がおむつの見返し部分として吸収性本体４の長手方向端部を肌面側から被覆することで、該吸収性本体４が直接肌に当らないようにされ、装着時の柔らかな肌触りが生まれる。
【００１５】
本実施形態において、内側シート部材２ａ及び２ｂの身丈方向下端部には、吸収性本体４及び外装シート１とは非接着の帯状非接着帯２１ａ及び２１ｂが自由端として胴回り方向に延びるよう帯状に配されている。該帯状非接着帯２１ａは、その左右両側端においてサイドシーム部１の外装シート１ａ及び１ｂの間で挟持接合されている。なお本実施形態において、該帯状非接着帯２１ｂの身丈方向長さは帯状非接着帯２１ａのものよりも短くされている（図２参照）。腹側の内側シート部材２１ａ及び背側の内側シート部材２１ｂは、いずれも帯状非接着帯２１ａ及び２１ｂより上方の接着領域２２ａ及び２２ｂで外装シート１等と接着剤等によってしっかりと接着固定されている（図２参照）。
【００１６】
本実施形態においては、その特徴として前記帯状非接着帯２１ａ及び２１ｂのサイドシーム部３の内側縁近傍において、破断誘導構造としての切込み２３が該帯状非接着帯２１ａ及び２１ｂそれぞれの身丈方向長さに合わせて配されている（図２参照）。この破断誘導構造が、詳細は後述するが、サイドシーム部３の引裂きの際の帯状非接着帯２１ａ及び２１ｂの横裂きを防止するよう機能する。これにより、内側シート部材２の接着領域２２ａ及び２２ｂと外装シート１との接着強度を維持しつつ、サイドシーム部の良好な破断を可能にする。
【００１７】
ここで、図３及び図４を参照して、前記帯状非接着帯２１を含むサイドシーム部３の構成部材の配置及びその組立て形態について説明する。図３は、図２に示したＩＩＩ−ＩＩＩ線断面の拡大断面図である。図４（ａ）は図２に示したサイドシーム部のＩＶ切断面の断面を拡大して模式的に示した拡大断面図であり、（ｂ）及び（ｃ）は該サイドシーム部断面においてその引裂きの様子を模式的に示した拡大断面図である。これら図３及び図４においては、一対のサイドシーム部３，３のうち、一方のみ示すが、部材配置及びその組立て形態は他方においても同様である。本実施形態のサイドシーム部３においては、帯状非接着帯２１ａ及び２１ｂを含む胴回り方向の断面について見てみると、図３において右側からみて、外装シート腹側部１ａ、腹側の内側シート部材２ａ、背側の内側シート部材２ｂ、外装シート背側部１ｂの順でその４層構造となっており（外装シート１を内層シート及び外層不織布の２層構造としてみれば６層構造といえる。）、これらがまとまって接合一体化されている。また内側シート部材２ａの帯状非接着帯２１ａ及び内側シート部材２ｂの２１ｂにはサイドシーム部３の内側側縁３ｓの近傍においてそれぞれ切込み２３が配されている。なお図４は部材の引裂き状態を分かりやすく示すための変形モデル図であり、その形態を図１〜３と必ずしも一致させて示していない。また引裂き挙動も外側ｏから内側ｑに向うように示し、ただ実施の引裂き変化がこの図のとおりになることを示すものではない。
【００１８】
本実施形態において、サイドシーム部３の身丈方向の断面について見てみると、図４（ａ）の示すとおり、前記４層構造はサイドシーム部３の上端縁３ｉから内側シート部材２の下端縁２ｋまでにおいて形成されている。それより下方のサイドシーム部３の下端縁３ｋまでは、外装シート腹側部１ａ及び外装シート背側部１ｂの２層構造となっている。この４層構造と２層構造とで一連のサイドシーム部３をなすよう接合部ｍでしっかりと接合されている。この接合部ｍの接合方法としては、この種の物品に用いられる方法を採用することができ、例えば、ヒートシール、高周波シール又は超音波シールなどによって融着させる方法が挙げられる。またこの接合部ｍは、例えば、全面で連続的に接合した形態や、複数の接合部と非接合部とをパターン配置にした形態とすることができる。具体的には、例えばエンボスロールとフラットロールとの間にサイドシーム部となる４層ないし２層のシート部材を挟持して加熱押圧させることで形成でき、エンボスロールの面に凸を配することで接合部のパターン配置ができる。
【００１９】
一方、サイドシーム部３の４層構造において、外装シート１ａと内側シート部材２ａとの接着領域２２ａとが接合部ｎ１によって接合され、外装シート１ｂと内側シート部材２ｂとの接着領域２２ｂとが接合部ｎ２によって接合されている（図４（ａ）参照）。これらの接合部ｎ１及びｎ２は、サイドシーム部３の形成前に内側シート部材２を外装シート１と接着させた端部であり、接着剤等による接合部である。他方、接合部ｎ３及びｎ４は、自由端としての帯状非接着帯２１ａ及び２１ｂと外装シート１とが積層された部分であり接着剤等の塗布はなく、接合部ｍの形成時にエンボス等によって一緒に圧着された弱接合部あるいは非接着部である。この接合部ｎ３及びｎ４の接合強度（Ｐ１ｒ及びＰ２ｒ）は、サイドシーム部３をしっかりと接着固定した接合部ｍの接着強度（Ｐ３ｒ）に対して弱いものとなっている（Ｐ１ｒ及びＰ２ｒ＜Ｐ３ｒ）。しかも前記帯状非接着帯２１は、サイドシーム部３の内側縁３ｓから胴回り方向に向けて自由端のままである（図２参照）。
【００２０】
このような接合部を有するサイドシーム部３において、サイドシーム部３を引裂くように力（Ｇ）を勢いよく加えると、その引裂きが上端縁３ｉから下方への引裂方向ｓ１へと進み、その途中までうまく接合部ｍが剥がれても（図４（ｂ）参照）、帯状非接着帯２１の部分で、接合部ｍ’が接着したまま接合強度の弱い接合部ｎ３及びｎ４が順に剥がれていまっている（図４（ｃ）参照）。この接合面ｎ３及びｎ４の剥がれにつられ帯状非接着帯２１ａ及び２１ｂが接合部ｍで繋がったまま胴回り方向に引っ張れられようとする。しかし、本実施形態においては、前述のとおり帯状非接着帯２１ａ及び２１ｂのサイドシーム部３の近傍において、その身丈方向に合わせて破断誘導構造としての切込み２３が配設されたことで（図２，３）、図４の手前側へと及ぶ胴回り方向への引裂きを効果的に防止することができる。この点は、サイドシーム部３の下端縁３ｋから上方の引裂方向ｓ２へ進めて（図１参照）も同様である。なお、接合部ｎ３は、接合部ｎ４より身丈方向の長さが長く該接合部ｎ３よりも先に剥がれやすく、場合によっては接合部ｎ３のみが剥がれることもあり得る。また、図６では接合部ｎ３と接合部ｎ４とがそれぞれ接合部ｎ１及びｎ２との境界から剥がれるように示したが、引裂き力Ｇの大きさやスピード、方向によってはその剥がれる位置が異なることもある。
【００２１】
この破断誘導構造とは、サイドシーム部３，３を前後に引裂きながら進む引裂きの進展方向を、該サイドシーム部に沿った方向ｓ１あるいはｓ２へと促す構造のことである。換言すれば、破断誘導構造は、たとえ引裂き力が胴回り方向に波及しそうになっても、その部分でその波及を断絶して引裂方向を身丈方向に向わせ、意図しない部材の引裂きを防止する機能を有する構造をいう。この観点から破断誘導構造は、前記の機能を有すれば本実施形態の切込み２３に限定されず、例えば、身丈方向に延びるミシン目からなる構造や帯状非接着帯２１の部材の強度を脆弱化させた部分からなる構造など、部材の強度を不連続にする構造であってもよい。このような構造が配されることにより、引裂き力Ｇが胴回り方向に行かないよう断絶され、前記引裂き力Ｇによって生じるひずみは上下に向かう引裂きの進展方向ｓ１あるいはｓ２となって現われ、サイドシーム部３の良好な引裂きが実現される。なお破断誘導構造は、横裂け防止に必要な帯状非接着帯２１のみに配され、内側シート部材２の接着領域２２には配されていない。これにより、接着領域２２と外装シート１との接合が維持されこの部分で内側シート部材２が引裂かれることがないので、内側シート部剤２全体としておむつ使用時の部材強度が維持される。
【００２２】
この点につき、図５を参照してより詳細に説明する。図５は、実施形態としての使い捨ておむつのサイドシーム部（図２に示した部分に対応する部分）を引き裂くときの状態を模式的に示した斜視図である。
本実施形態のおむつ１０を使用後に脱がして廃棄するようサイドシーム部３を引き裂くとき、保護者ないし介助者の手指Ｔでその両側を摘んで、矢印Ｇの方向に動かすように力をいれる。すると、徐々にウエスト開口部側のサイドシーム部上端縁３ｉから下方へ向け引裂方向ｓ１へと引裂きが進展し、サイドシーム部３がシーム部腹側３ａとシーム部背側３ｂとに分断されていく。そして、内側シート部材２の帯状非接着帯２１ａの上端縁にさしかかり、接合部ｍではなく接合部ｎ３、ｎ４（図４参照）が剥がれてしまう。帯状非接着帯２１ａがシーム部背側３ｂに接合されたままさらにサイドシーム部３を引裂こうとすると、帯状非接着帯２１ａと接着領域２２ａとの境界ｗ１で身丈方向に横裂けしようとする。この剥がれや横裂けは、保護者等のサイドシーム部を引裂く力の大きさやその勢い、着用者の体形や動き、接合部ｎ３、ｎ４と接合部ｍとの接合強度の相違等の様々な要因により生じるものと考えられる。
しかし、本実施形態においては、切込み２３，２３の部分で胴回り方向への引裂き力は断絶され、それ以上帯状非接着帯２１ａ及び２１ｂが引裂かれ難い。具体的には、引裂きによる応力が身丈方向に延びる切込み２３に集中しこれに沿って帯状非接着帯２１ａ及び２１ｂが引裂かれる。その結果、帯状非接着帯２１ａ及び２１ｂはそれ以上胴回り方向に引っ張れることなく、引裂き力Ｇの進展方向は胴回り方向から上下方向（Ｓ１方向）へと変化する。その結果、腹側帯材２ａと背側帯材２ｂとがスムースに分断されていく。なお、図５ではこのときの破断の様子を、理解を容易にするためサイドシーム部３の形状が維持されて移動していくように示し、例えば上端縁３ｉの仮想軌跡線ｑ１を理想的な円弧を描くように示したが、実際にはシート材の変形性のためサイドシーム部のおむつ内方側から徐々に剥離していき、サイドシーム部面がややよじれながらおむつ外方かつ下方へと剥がれていく。このように破断誘導構造の配置によって、サイドシーム部の分断時の横裂きが抑えられるので、接合部における多少の接合力や接合幅のばらつきがあったり、やや乱暴に又は力の弱いひとが引き裂いたりしたとしても良好かつ確実な分断を可能となる。
【００２３】
本実施形態においては、さらにこの剥離のとき、内側シート部材２の胴回り方向の引裂きが防止されることで、おむつの胴回り方向への変形が抑えられおむつの型崩れや内部部材の屑がでてくるようなことが抑えられる。また、従来の腹側から背側へと繋がる帯状非接着帯２１の紐状片が生じないので、何度も引裂くことなく簡単におむつを取り外すことができ、そのまま排泄物等を床などに散らずに素早く廃棄することができる。このような作用は帯状非接着帯２１に作出された破断誘導構造によるものである。なお破断誘導構造によって部材が引き離れていく様子は、実際には図５で示したものに対しシート材がよじれながら徐々におむつ内方から外方へむけ、またおむつ上側から下側へむけ引き裂かれていく。
【００２４】
本実施形態のおむつ１０において、破断誘導構造が切込み２３である場合、帯状非接着帯２１はサイドシーム部３とは分離した状態となる。そのため、おむつの装着時に、指がこの帯状非接着帯２１と外装シート１との間に入り込んでも、帯状非接着帯２１が上方にめくれて指の引っ掛かりなくスムースにおむつの引っ張り上げか可能となる。また、この帯状非接着帯２１のめくれでその部分において内側シート部材２の２層構造ができ、その分柔らかさが向上する。
【００２５】
なお、本実施形態においては、確実な横裂け防止の観点から、腹側の内側シート部材２ａの左右両端と、背側の内側シート部材２ｂの左右両端の合計４箇所に破断誘導構造を配設するものであるが、これに限らず、少なくとも腹側と背側で、帯状非接着帯の身丈方向の位置がウエスト寄りの側（図２，４参照）の内側シート部材２ａにおいて、帯状非接着帯２１ａの左右２箇所に破断誘導構造があることが好ましい。
【００２６】
本実施形態において、効果的な横裂けの防止の観点から、前記破断誘導構造とサイドシーム部３の内側縁３ｓとの胴回り方向への離間距離（ｗ）は、３０ｍｍ以下であることが好ましく、１０ｍｍ以下であることがさらに好ましい。前記上限以下とすることで横裂けを最小限に抑えることができる。
【００２７】
本実施形態において、該破断誘導構造が切込み以外である場合、破断誘導構造の機能を効果的に発揮する観点から、その部分における部材の強度を不連続なものとするのが好ましく、例えば、ミシン目を入れたり部材の強度を脆弱なものにしたりすることが挙げられる。この部材の強度の脆弱化とは、部材の強度が低下した状態をいい、具体的には、非常に強い押圧をかけてプレカットする方法や、エンボス加工による方法がある。力強く勢いのある引裂き力でサイドシーム部３の接合部ｍ（図４参照）が剥がれなくても、破断誘導構造で確実に胴回り方向への引裂き進展を断絶して上下方向へと変化させる観点から、破断誘導構造の胴回り方向の部材の強度（Ｔ１）は、３〜２０Ｎ／３０ｍｍが好ましく、５〜１０Ｎ／３０ｍｍがさらにこの好ましい。前記下限以上とすることで着用時における破断を防ぐことができ、前記上限以下とすることでサイドシーム部の引き裂き時に破断を誘導することができる。
【００２８】
特に、胴回り方向に引っ張った時の部材の強度が、身丈方向に引っ張った時の部材の強度よりも高い製品の場合には、破断誘導構造の部分において、胴回り方向の部材の強度（Ｔ１）を身丈方向の部材の強度（Ｔ２）よりも低くすることが好ましく、その比率（Ｔ１／Ｔ２）は０．３〜０．９であることが好ましく、０．５〜０．７であることがさらに好ましい。また横裂け防止の観点から、内側シート部材の身丈方向への強度（Ｔｓ）に対する前記破断誘導構造の胴回り方向の強度（Ｔ１）の比率（Ｔ１／Ｔｓ）は、０．３〜０．９であることが好ましく、０．５〜０．７であることがさらに好ましい。このような部材の強度脆弱化によって、帯状非接着帯２１と接着領域２２との身丈方向への引裂きが、すぐに前記破断誘導構造の部分で身丈方向よりも相対的に強度の低い胴回り方向に引裂かれ、引裂きの進展方向が再び上下方向（Ｓ１あるいはＳ２方向（図１、図５参照））に変化し得る。胴回り方向の部材の強度の低下としては、例えば、エンボスを身丈方向に沿うようにしたり、部材を胴回り方向に延伸したりする方法が挙げられる。一方、おむつ１０の装着時あるいは装着後の使用時における胴回り方向への伸長にも耐え得るよう内側シート部材２の強度が必要である。したがって、前記破断誘導構造は、使用時の力では容易に破断しないがサイドシーム部の力強い引裂き力で容易に分離可能な程度のシート部材の強度低下とすることが好ましい。その観点から、前述の強度の下限以上、上限以下とする範囲で破断誘導構造の強度を調整することができるので好ましい。
【００２９】
さらに、破断誘導構造は、帯状非接着帯２１にのみ配されることが好ましい。これにより、内側シート部材２の分離が帯状非接着帯２１の破断誘導構造の部分のみに止められるので該シート部材全体の強度が維持される。また、破断誘導構造が接着領域２２にないことで、該接着領域２２と外装シート１との接合強度の低下、シート剥がれを回避し得る。これによりおむつ使用時の良好な装着感を維持することができる。また、前記構造が部材の強度脆弱化によるものである場合、前記構造の幅（胴回り方向の長さ）は、横裂け発生時に破断誘導構造で破断しやすいという観点から、１〜１０ｍｍが好ましく、２〜５ｍｍがさらに好ましい。
【００３０】
〔部材の強度〕
本発明において「部材の強度」は特に断らない限り、下記のようにして測定した値をいう。先ず、部材を適当な大きさに切断してサンプルシートを得る。得られたサンプルシートをテンシロン引っ張り試験機（オリエンテック社製、商品名「ＲＴＡ−１００」）のチャック間に把持させ、次いで、引張速度３００ｍｍ／ｍｉｎで引張り、破断したときの最大点荷重を測定する。これを幅３０ｍｍに換算し、部材の強度とする。
【００３１】
外装シートの外層不織布や吸収体を被覆するする繊維シートの素材となる不織布としては、それぞれ、例えばエアースルー不織布、ヒートロール不織布、スパンレース不織布、スパンボンド不織布、メルトブローン不織布等の各種製法による不織布、織布、編布、樹脂フィルム等が挙げられ、これらを積層一体化させてなるシート材等を用いることができる。感触の良い柔軟な襞を規則的に配列させ、装飾的な美観を合わせて付与する観点から、両シート材又は一方のシート材（特に複合伸縮部材を肌に当接させる用途に用いる場合の肌面側の面を形成するシート材）の形成材料は、エアースルー不織布、ヒートロール不織布、スパンレース不織布、スパンボンド不織布、メルトブローン不織布等であることが好ましい。
【００３２】
弾性部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
れる。
【００３３】
上記各実施形態においては本発明の着用物品としてパンツ型おむつを例に示したが、吸収性本体を肌面側に配置して用いられるパンツ型おむつカバーであることも好ましい。ここで吸収性本体は、排泄される尿等を吸収するものであれば特に限定されないが、例えば尿とりパッド等の吸収パッドが挙げられる。吸収パッドは、例えば、液透過性の表面シート、液不透過性の防漏シート、及び両シート間に介在された液保持性の吸収体を具備し、平面視矩形状の縦長形状に形成されたものが挙げられる。そして、吸収パッドの長手方向の両側には、左右一対の立体ガードが形成されていることが好ましく、各立体ガードは、吸収パッドの長手方向の両側に、立体ガード弾性部材を有する立体ガード形成用のシート材を配設して形成されていることが好ましい。このような吸収パッドの長手方向を着用者の背側から腹側に股間を介してわたすようにして、該パッドの液透過シート側を着用者の肌に当接するよう配置する。おむつカバーは、この吸収パッドを覆うようにして着用することが好ましい。
【００３４】
本発明のパンツ型着用物品は、分離可能とされたサイドシーム部を有し、かつ帯状非接着帯を含めた内側シート部材が着用物品の肌面側に配されたものを広く含むものであり、上述のようなパンツ型のおむつやおむつカバーのほか、生理用ショーツ、ショーツ型ナプキンなどの、パンツ型の構造を有する着用物品一般を含む概念である。このパンツ型着用物品は、乳幼児用のものであっても、成人用のものであってもよい。また、本発明のパンツ型着用物品において、前記内側シート部材は外装シートが折り返された部材に限らず、独立した部材であてもよく、他の構成部材の延出部分であってもよい。同様に、前記帯状非接着帯は、胴回り方向に延びる部分として、前記内側シート部材の下端に位置するものに限らず、上端にあってもよく、あるいは複数の位置に配されるものであってもよく、これに応じて必要により破断誘導構造が的確な位置に配されるものであればよい。
【符号の説明】
【００３５】
１  外装シート
２  内側シート部材
３  サイドシーム部
３ｒ  外側縁
３ｓ  内側縁
３ｉ  サイドシーム部上端縁
３ｋ  サイドシーム部下端縁
４  吸収性本体
１０  使い捨ておむつ
【図１】
0005535017.tif 000002
【図２】
0005535017.tif 000003
【図３】
0005535017.tif 000004
【図４】
0005535017.tif 000005
【図５】
0005535017.tif 000006
【図６】
0005535017.tif 000007